(57)【要約】【課題】フィルターの交換の手間を軽減して良質な雨水を得ることができる雨水貯留システムを提供する。【解決手段】雨水貯留システム１は、降雨時には、縦樋１０２から第１水平管３３に初期の雨水Ｒ１が流れ込む。ここで、第２水平管３４の内径と分岐管３６の内径は同径であるため、初期の雨水Ｒ１は、第１水平管３３に近い方に位置する分岐管３６へ流れていき、初期雨水タンク４内に溜められる。さらに、その後の雨水Ｒ１も、分岐管３６を介して初期雨水タンク４内に溜められる。そして、初期雨水タンク４内の雨水Ｒ１が満杯になると、これ以降に第１水平管３３に流れ込む雨水Ｒ２は第２水平管３４へ流れていき、フィルター１０５を通って雨水タンク１０４内に溜められる。【選択図】図３
2009287271.tif 000002
【特許請求の範囲】
【請求項１】
一端が直接または間接的に軒樋に接続され、雨水を流す雨水管路と、この雨水管路の他端側に接続され、雨水を貯留する雨水タンクとを有する雨水貯留システムにおいて、
前記雨水管路途中に設けられた分岐部と、
この分岐部に接続され、降雨時初期の雨水を流入させる初期雨水タンクと、
この初期雨水タンクに所定量雨水が流入した後は、前記雨水タンクの方向に雨水が流れるように制御する制御手段と、
前記分岐部から前記雨水タンクまでの前記雨水管路途中に設けられたフィルターと
を有することを特徴とする雨水貯留システム。  
【発明の詳細な説明】
【技術分野】
【０００１】
本件発明は、屋根に降った雨水を貯める雨水貯留システムに関する。
【背景技術】
【０００２】
近年、家庭では、雨水を有効に利用するために雨水貯留システムが使用されている。雨水貯留システムとして、例えば、特許文献１や図４に示すような雨水貯留システム１０１が知られている。この雨水貯留システム１０１は、縦樋１０２を流れる雨水を貯めるものであり、雨水管路１０３と、雨水タンク１０４と、フィルター１０５とを備えている。
【０００３】
雨水管路１０３は、第１曲がり管１３１と、水平管１３２と、第２曲がり管１３３とを備えている。縦樋１０２の下端には、第１曲がり管１３１の一端が接続されている。この第１曲がり管１３１は、縦樋１０２の下端側から側方へ９０度に屈曲している。第１曲がり管１３１の他端には、水平管１３２の右端が接続されている。水平管１３２の左端には、第２曲がり管１３３の一端が接続されている。この第２曲がり管１３３は、水平管１３２の左端側から下方へ９０度に屈曲している。
【０００４】
さらに、第２曲がり管１３３の他端には、継ぎ手１３４を介して前記雨水タンク１０４が接続されている。この雨水タンク１０４は、取水コック１４１と、オーバーフロー管１４２とを有している。取水コック１４１は、雨水タンク１０４内に溜められた雨水を取り出すためのものである。オーバーフロー管１４２は、降雨時に雨水タンク１０４内に溜められる雨水が所定量を超えたときに、超えた分の雨水を外部に排出するものである。また、フィルター１０５は、縦樋１０２の所定部分に設けられている。
【０００５】
以上のように構成されている雨水貯留システム１０１は、降雨時に、軒樋（図示せず）から縦樋１０２を流れてきた雨水Ｒが水平管１０３を通って雨水タンク１０４内に溜められる。このとき、最初に縦樋１０２を流れる初期の雨水は、汚れた屋根を洗いながら縦樋１０２に流れ込むために非常に汚れている。しかし、初期の雨水は、縦樋１０２に設けたフィルター１０５を通ることにより汚れが除去されるので、この雨水貯留システム１０１は、良質な雨水を得ることが可能になっている。
【特許文献１】特開２０００−３０３５０７号公報
【発明の開示】
【発明が解決しようとする課題】
【０００６】
しかしながら、従来の雨水貯留システム１０１は、フィルター１０５に降雨時初期の雨水が通るので、フィルター１０５の汚れがひどくなってしまう。このため、使用者は、フィルター１０５を頻繁に交換しなければならない。
【０００７】
本件発明は、かかる従来の課題に鑑みてなされたものであり、フィルターの交換の手間を軽減して良質な雨水を得ることができる雨水貯留システムを提供することを目的とする。
【課題を解決するための手段】
【０００８】
前記課題を解決するために本件発明の雨水貯留システムは、一端が直接または間接的に軒樋に接続され、雨水を流す雨水管路と、この雨水管路の他端側に接続され、雨水を貯留する雨水タンクとを有する雨水貯留システムにおいて、前記雨水管路途中に設けられた分岐部と、この分岐部に接続され、降雨時初期の雨水を流入させる初期雨水タンクと、この初期雨水タンクに所定量雨水が流入した後は、前記雨水タンクの方向に雨水が流れるように制御する制御手段と、前記分岐部から前記雨水タンクまでの前記雨水管路途中に設けられたフィルターとを有することを特徴としている。
【発明の効果】
【０００９】
本件発明の雨水貯留システムでは、雨水管路において初期雨水タンクよりも下流側にフィルターを設けることにより、降雨時初期の雨水を初期雨水タンク内に流入させた後に、それ以降の雨水をフィルターに通して雨水タンク内に溜めるようにした。したがって、フィルターには降雨時初期の雨水が通らないので、フィルターがひどく汚れてしまうことはない。よって、本件発明の雨水貯留システムは、フィルターの交換の手間を軽減して良質な雨水を得ることができる。
【発明を実施するための最良の形態】
【００１０】
以下、本件発明の実施の形態を図にしたがって説明する。
【００１１】
図１は、本件発明の一実施の形態を示す雨水貯留システム１の模式図である。この雨水貯留システム１において、従来の雨水貯留システム１０１（図４）と同じ部分には同じ符号を付し、異なる部分を中心にして説明する。
【００１２】
本実施の形態の雨水貯留システム１は、雨水管路３と、初期雨水タンク４と、雨水タンク１０４と、フィルター１０５とを備えている。
【００１３】
雨水管路３は、第１曲がり管１３１と、第１水平管３３と、第２水平管３４と、Ｔ字管３５と、分岐管３６と、第２曲がり管１３３とを備えている。なお、Ｔ字管３５は、本件発明の分岐部を構成している。また、この雨水管路３は、第１曲がり管１３１の一端が縦樋１０２に接続されているが、軒樋に直接接続するように形成しても良い。
【００１４】
第１水平管３３の右端は第１曲がり管１３１に接続しており、第２水平管３４の左端は第２曲がり管１３３に接続している。第２水平管３４の中間部分にはフィルター１０５が設けられている。
【００１５】
一方、Ｔ字管３５は、三方の接続部３５１〜３５３を備えている。右側の接続部３５１には第１水平管３３の左端部が内嵌して接続されている。左側の接続部３５２には第２水平管３４の右端部が内嵌して接続されている。下側の接続部３５３には分岐管３６の上端部が内嵌して接続されている。
【００１６】
また、初期雨水タンク４は、分岐管３６の下端部に接続されている。この初期雨水タンク４は、雨水タンク１０４の右側に隣接させて取り付けられている。初期雨水タンク４の右側には、排水コック４１が設けられている。この排水コック４１は、初期雨水タンク４に溜められた雨水を抜くためのものである。なお、この排水コック４１は、別の雨水タンク（図示せず）に接続するようにしても良い。また、初期雨水タンク４の前面には、透明の雨水量確認窓４２（雨水量確認手段）が設けられている。さらに、初期雨水タンク４の内部には、雨水に浮くフロート４３が配置されている。
【００１７】
図２は、図１のＴ字管３５を中心とした拡大図である。Ｔ字管３５の三方の接続部３５１〜３５３を除く部分の左右端側の内径３５ａと下端側の内径３５ｂは同径に設定されている。これに伴い、双方の水平管３３、３４の内径３３ａ、３４ａと分岐管３６の内径３６ａは同径に設定され、これによって本件発明の制御手段が構成されている。
【００１８】
以上のように構成されている雨水貯留システム１について、雨水貯留機能を説明する。降雨時には、図３（ａ）に示すように、縦樋１０２から第１水平管３３に初期の雨水Ｒ１が流れ込む。ここで、第２水平管３４の内径と分岐管３６の内径は同径である。したがって、初期の雨水Ｒ１は、第１水平管３３に近い方に位置する分岐管３６へ流れていき、初期雨水タンク４内に溜められる。さらに、その後の雨水Ｒ１も、分岐管３６を介して初期雨水タンク４内に溜められる。このとき、初期雨水タンク４内のフロート４３は、雨水Ｒ１の液面が上昇するのに伴って上昇する。
【００１９】
そして、図３（ｂ）に示すように、初期雨水タンク４内の雨水Ｒ１が満杯になると、フロート４３は、初期雨水タンク４と分岐管３６との接続口４ａ（図３（ａ）参照）を塞ぐ。したがって、これ以降に第１水平管３３に流れ込む雨水Ｒ２は第２水平管３４へ流れていき、フィルター１０５を通って雨水タンク１０４内に溜められる。
【００２０】
このように、本実施の形態の雨水貯留システム１では、雨水管路３において、初期雨水タンク４よりも下流側（雨水タンク１０４側）にフィルター１０５を設けたことにより、降雨時初期の雨水Ｒ１を初期雨水タンク４内に溜めた後に、それ以降の雨水Ｒ２をフィルター１０５に通して雨水タンク１０４内に溜めるようにした。
【００２１】
したがって、フィルター１０５には、降雨時初期の雨水Ｒ１が通らないので、フィルター１０５がひどく汚れてしまうことはない。よって、本実施の形態の雨水貯留システム１は、フィルター１０５の交換の手間を軽減して良質な雨水を得ることができる。
【００２２】
また、本実施の形態の雨水貯留システム１では、初期雨水タンク４内の雨水Ｒ１が満杯になった際に、初期雨水タンク４と分岐管３６との接続口４ａをフロート４３で塞ぐようにした。したがって、初期雨水タンク４内の雨水Ｒ１が満杯になっても、この雨水Ｒ１が第２水平管３４を通って雨水タンク１０４の方に流れるのを確実に防ぐことができる。よって、本実施の形態の雨水貯留システム１は、フィルター１０５の交換の手間を軽減しつつ、良質の雨水を確実に得ることができる。
【００２３】
また、本実施の形態の雨水貯留システム１では、初期雨水タンク４に雨水量確認窓４２を設けた。これにより、使用者は、非降雨時に、雨水量確認窓４２から初期雨水タンク４内の雨水Ｒ１が満杯か否かを確認でき、満杯の場合には、排水コック４１を用いて、初期雨水タンク４内の雨水Ｒ１を抜く作業を忘れずに行うことが可能になる。よって、本実施の形態の雨水貯留システム１は、次の降雨時の雨水貯留動作をスムーズに開始できる。なお、雨水量確認手段は、初期雨水タンク４内の雨水Ｒ１が少なくとも満杯であることを表示すれば良いので、本実施の形態のような雨水量確認窓４２に限定しなくても良い。
【００２４】
以上、本件発明にかかる実施の形態を例示したが、この実施の形態は本件発明の内容を限定するものではない。また、本件発明の要旨を逸脱しない範囲であれば、各種の変更等は可能である。
【００２５】
例えば、本実施の形態では、水平管３３、３４の内径３３ａ、３４ａと分岐管３６の内径３６ａとを同径に設定したが、分岐管３６の内径３６ａの方を必要に応じて大きく設定しても良い。この場合でも、初期の雨水Ｒ１は分岐管３６へ流れていくので、本実施の形態と同様に、フィルター１０５の交換の手間を軽減して良質な雨水を得ることができる。
【産業上の利用可能性】
【００２６】
以上説明したように本件発明の雨水貯留システムは、フィルターの交換の手間を軽減して良質な雨水を得ることができる。したがって、本件発明の雨水貯留システムは、雨水貯留システムの技術分野で十分に利用することができる。
【図面の簡単な説明】
【００２７】
【図１】本件発明の一実施の形態を示す雨水貯留システムの模式図である。
【図２】図１のＴ字管を中心とした拡大図である。
【図３】雨水貯留システムの雨水貯留機能を説明する図である。
【図４】従来の雨水貯留システムの模式図である。
【符号の説明】
【００２８】
１    雨水貯留システム
４    初期雨水タンク
３３    第１水平管
３３ａ    内径
３４    第２水平管
３４ａ    内径
３５    Ｔ字管
３６    分岐管
３６ａ    内径
４１    排水コック
４２    雨水量確認窓
４３    フロート
１０２    縦樋
１０４    雨水タンク
１０５    フィルター
１３１    第１曲がり管
１３３    第２曲がり管
１４１    取水コック
１４２    オーバーフロー管
【図１】
2009287271.tif 000003
【図２】
2009287271.tif 000004
【図３】
2009287271.tif 000005
【図４】
2009287271.tif 000006